(57)【要約】【課題】複数のファクシミリ基板が接続される場合であっても、放射ノイズを軽減するとともに、構成が共通化されたファクシミリ基板およびファクシミリ装置を提供する。【解決手段】それぞれ異なる周波数の基本クロック信号を出力する複数の発振器と、前記複数の発振器に接続され、当該接続される前記複数の発振器を切り替える切替手段と、前記基本クロック信号に同期して送受信した信号を変復調するモデムと、前記モデムに入力される基本クロック信号の周波数を、他のファクシミリ基板に備えられたモデムに入力される基本クロック信号の周波数と相違させる制御手段とを備える。【選択図】図５
2008005014.tif 000002
【特許請求の範囲】
【請求項１】
それぞれ異なる周波数の基本クロック信号を出力する複数の発振器と、
前記複数の発振器に接続され、当該接続される前記複数の発振器を切り替える切替手段と、
前記基本クロック信号に同期して送受信した信号を変復調するモデムと、
前記モデムに入力される基本クロック信号の周波数を、他のファクシミリ基板に備えられたモデムに入力される基本クロック信号の周波数と相違させる制御手段と、
を備えるファクシミリ基板。
【請求項２】
請求項1に記載のファクシミリ基板を複数備えるファクシミリ装置。
【請求項３】
異なる周波数の基本クロック信号を出力する複数の発振器と、
前記複数の発振器に接続され、当該接続される前記複数の発振器を切り替える切替手段と、前記基本クロック信号に同期して送受信した信号を変復調するモデムと、を有する複数のファクシミリ基板と、
前記複数のファクシミリ基板に備えられた各モデム毎に、入力される基本クロック信号の周波数を相違させる制御手段と、
を備えることを特徴とするファクシミリ装置。
【請求項４】
ファクシミリ基板が接続された位置を検出する検出手段を備えるとともに、
前記制御手段が、前記検出手段が検出した接続位置に基づいて、切替手段に接続される発振器を切り替える
請求項２又は３に記載のファクシミリ装置。
【請求項５】
ファクシミリ基板が接続された数を検出する検出手段を備えるとともに、
前記制御手段が、前記検出手段が検出した接続数に基づいて、切替手段に接続される発振器を切り替える
請求項２又は３に記載のファクシミリ装置。
【発明の詳細な説明】
【技術分野】
【０００１】
本発明は、ファクシミリ基板及びファクシミリ装置に関し、詳しくは、本体基板に複数接続されるファクシミリ基板及びファクシミリ装置に関する。
【背景技術】
【０００２】
従来から、複数回線に対応することができるファクシミリ装置が知られている。このようなファクシミリ装置は、例えば装置本体に内蔵された本体基板に、オプション用のファクシミリ基板が追加接続されることにより、複数の回線に対応可能となっている。
【０００３】
ファクシミリ基板には、同期信号となるクロック信号を発振するための発振器が搭載されている。発振器の構成は、基板の生産性を向上するために共通化されており、発振するクロック信号の周波数は同一となっている。
【０００４】
このため、複数回線対応型のファクシミリ装置においては、同一の周波数をもつクロック信号が重なり合って、その結果放射ノイズが増加する傾向にあった。放射ノイズは、周波数によって他の電子機器に誤作動や性能低下などの悪影響を及ぼす場合があり、例えばテレビの画像を乱したり、携帯電話の電波を乱すといった不具合を引き起こす原因となっていた。このため、放射ノイズに対する種々の基準が設けられており、これらの基準を満たさない限り、製品として上記基準を満たすことを示す規格を取得することができなかった。
【０００５】
そこで、上記基準を満たすため放射ノイズに対する様々なＥＭＩ（Ｅｌｅｃｔｒｏ  Ｍａｇｎｅｔｉｃ  Ｉｎｔｅｒｆｅｒｅｎｃｅ）対策がとられている。
【０００６】
例えば、ＥＭＩ対策の最も基本的なものの一つとして、複数のファクシミリ基板ごとに周波数の異なる発振器を配設する方法がとられている。すなわち、例えばファクシミリ装置に２枚のファクシミリ基板が備えられえる場合、一方のファクシミリ基板には周波数がＦ１（ＭＨｚ）のクロック信号を出力する発振器を配設し、他方のファクシミリ基板には周波数がＦ２（ＭＨｚ）のクロック信号を出力する発振器を配設する。このような構成であれば、複数のクロック信号の周波数が相互にずれるため、周波数が互いに干渉しあって放射ノイズが重なり合うのを防止することが出来る。
【０００７】
また、一般的に本体基板とファクシミリ基板とを接続するケーブルにフェライトコアを装着する対応策もとられている。この対応策によれば、ケーブルにノイズとなる高周波電流が流れた場合であっても、フェライトコアが放射ノイズのエネルギを吸収して熱に変え、ケーブルから発生する放射ノイズを抑えるようにしている。
【０００８】
さらに、例えば特開２００１−１１１７４５号公報に記載されているように、スペクトラム拡散クロックジェネレータ（以下、ＳＳＣＧという。）を用いる対応策もとられている。ＳＳＣＧを用いることで、クロック信号の周波数をわずかに拡散させて発振させることができ、各基本クロック信号が放射する放射ノイズを低く抑えることができるという効果が期待されている。
【特許文献１】特開２００１−１１１７４５号公報
【発明の開示】
【発明が解決しようとする課題】
【０００９】
ところが、上述のような対応策をとるにしても、依然として以下のような問題点が残っていた。
【００１０】
まず、複数の基板ごとに周波数の異なる発振器を搭載する方法についてであるが、このようにファクシミリ基板毎に構成が異なる場合は、ファクシミリ基板を同一の生産ラインによって生産することができないことから生産性を低下させ、結果として生産コストを高める原因の一つになっていた。
【００１１】
また、上述のようにフェライトコアを用いることによって放射ノイズを軽減することが出来るのであるが、フェライトコアは、ファクシミリ装置を構成する上で本来不必要な部品であり、生産コストを高める要因となっていた。
【００１２】
さらに、ＳＳＣＧを使用する場合については、各基本クロック信号によって輻射されるそれぞれの放射ノイズは軽減することが出来るのであるが、それらのノイズが重なり合うことによって増大する放射ノイズは軽減することができていなかった。
【００１３】
本発明は、上記従来の問題を解決するために提案するものであって、複数のファクシミリ基板を接続する場合であっても、基板を共通化することが可能であり、かつ、複数の基本クロック信号が重なり合うことによる放射ノイズの増大を回避することができるファクシミリ基板及びこれを備えたファクシミリ装置を提供することを目的とする。
【課題を解決するための手段】
【００１４】
本発明のファクシミリ装置は、複数のファクシミリ基板が接続されることを前提としている。そして、このようなファクシミリ装置において、異なる周波数の基本クロック信号を出力する複数の発振器と、前記複数の発振器に接続され、当該接続される前記複数の発振器を切り替える切替手段と、基本クロック信号に同期して送受信した信号を変復調するモデムとを有するファクシミリ基板が備えられている。切替手段によって、複数の発振器の中から基本クロック信号を出力する発振器を選択可能に切り替えることが出来る。そして、発振器から出力された基本クロック信号は、モデムへと入力される。モデムは、この基本クロック信号に同期して送受信した信号を変復調する。
【００１５】
また、本発明のファクシミリ装置の重要な点として、前記切替手段に接続される発振器を切り替える制御手段が備えられている。この制御手段は、前記モデムに入力される基本クロック信号の周波数を、他のファクシミリ基板に備えられたモデムに入力される基本クロック信号の周波数と相違させる。
【００１６】
これによれば、複数のファクシミリ基板毎に基本クロック信号の周波数が異なるため、複数の同一の周波数の放射ノイズが重なり合うことはなく、放射ノイズが大きくなるのを防ぐことが出来る。また、複数のファクシミリ基板は全て同一の構成とすることができるため、これらのファクシミリ基板を同一の生産ラインによって生産することができ、生産コストを抑えることが出来る。
【００１７】
なお、制御手段は、ファクシミリ基板ではなくファクシミリ装置の本体基板に設けることもでき、その場合は、本体基板の制御手段が前記変調手段の制御を行うこととなる。
【００１８】
さらに、本発明において、ファクシミリ基板が接続されているかを検出する検出手段を備えるとともに、前記制御手段が、前記検出手段の検出結果に基づいて、前記発振器の接続を切り替えるようにすることもできる。
【００１９】
上記構成によれば、ファクシミリ基板がファクシミリ装置自体（例えば本体基板）に接続された場合、検出手段の検出結果により、発振器の接続の切替が自動的に設定されるよう制御されるため、ユーザーがファクシミリ基板の接続時のたびに発振器の切替の設定を行うという手間を省くことが出来る。
【発明の効果】
【００２０】
以上のような構成を採用することにより、本発明では、複数のファクシミリ基板を接続する場合であっても、放射ノイズを回避するとともに、大量生産にも適した、共通化されたファクシミリ基板及びこれを備えたファクシミリ装置を提供することが出来る。
【発明を実施するための最良の形態】
【００２１】
以下、添付図面を参照して、本発明の実施の形態につき説明し、本発明の理解に供する。
【００２２】
図１は、本実施形態におけるファクシミリ装置の全体構成図である。本実施の形態のファクシミリ装置１００は、ファクシミリ機能とコピー機能を併有するいわゆるデジタル複合機として具体化されており、画像読取部１０１、画像形成部１０２、を備えており、それぞれが本体基板１２０に制御される。
【００２３】
即ち、画像読取部１０１は、原稿台１０５上の原稿の画像情報を読み取るためのものであり、光源１０６ａ、ミラー１０６ｂ、ＣＣＤ１０６ｃ等からなる光学ユニット１０６を有している。光源１０６ａから照射された光は原稿台１０５上の原稿に反射し、ミラー１０６ｂを介してＣＣＤ１０６ｃへと導かれる。ＣＣＤ１０６ｃは、入射された光を光電変換することで、原稿の画像データを生成することができる。
【００２４】
画像形成部１０２は、給紙カセット１０７から給紙される用紙に対して画像形成を行うためのものであり、感光体ドラム１０８と、その周囲に配置された帯電器１０９、露光器１１０、現像器１１１及び転写器１１２等と、その下流側に配置された定着装置１１３とを有している。感光体ドラム１０８表面を帯電器１０９によって帯電し、引き続いて露光器１１０により画像データに応じて光を照射することで、感光体ドラム１０８上に静電潜像を形成する。そして、現像器１１１が前記静電潜像にトナーを付着することで、感光体ドラム１０８上にトナー像が形成され、その後トナー像は転写器１１２によって用紙に転写される。このようにして、ファクシミリ装置１００における画像形成処理が行われる。
【００２５】
次に、ファクシミリ基板２１０が前記本体基板１２０に接続される場合について説明する。図２は、本実施形態におけるファクシミリ基板と本体基板との接続箇所を示す斜視図である。図３は、本実施形態におけるファクシミリ基板と本体基板との接続箇所を示す断面図である。
【００２６】
前記ファクシミリ装置１００は、複数のファクシミリ回線に対応可能となっており、ファクシミリ装置１００に設けられた本体基板１２０には、1回線目に対応する第1ファクシミリ基板２１０ａと、２回線目に対応する第２ファクシミリ基板２１０ｂが、それぞれ着脱可能に取り付けられている。
【００２７】
本体基板１２０には、ファクシミリ基板２１０（２１０ａ、２１０ｂ）を挿入するために形成された凹部２０２ａを有する複数のコネクタ２０２が設けられている。図３Ａに示すように、凹部２０２ａ内には、例えばくの字状に形成された２本の鋼材からなる接続ピン２０３が配設されている。この接続ピン２０３は、構成が同一である第１接続ピン及び第２接続ピンからなっている。各接続ピン２０３は、凹部２０２ａの内側に向かって曲折して突出する曲折部２０３ａを備えている。また、各接続ピン２０３の一端部２０３ｂは、本体基板１２０に設けられた貫通孔を貫通し、図示しない導線によって後述するＣＰＵに電気的に接続されている。
【００２８】
また、凹部２０２ａ内には、ファクシミリ装置１００からファクシミリ基板２１０上の集積回路に電源を供給するための電源供給ピンが備えられている。電源供給ピンの構成は、前記接続ピン２０３の構成と同様となっている。
【００２９】
各ファクシミリ基板２１０ａ、２１０ｂは、複数の集積回路が実装された薄板状の部材からなり、接続端子２１１を備えている。この接続端子２１１は、第１接続端子２１１ａと第２接続端子２１１ｂから構成されており、両接続端子２１１ａ、２１１ｂとも図示しない導線により後述するＣＰＵ３１４と電気的に接続されている。第１接続端子２１１ａは第１接続ピンに接続し、第２接続端子２１１ｂは第２接続ピンと接続する。
【００３０】
図３Ｂは、接続端子２１１と接続ピン２０３の接続状態を示した図である。接続端子２１１は、凹部２０２ａ内に挿入されると、接続ピン２０３の曲折部２０３ａにより両側から付勢されて挟持された状態を維持する。
【００３１】
また、各ファクシミリ基板２１０ａ、２１０ｂは、ファクシミリ装置１００から電圧を印加するための電源端子２１２を備えている。電源端子２１２が前記電源供給ピンに接続されることで、ファクシミリ装置１００からの電圧がファクシミリ基板２１０の各集積回路に供給される。なお、電源端子２１２と電源供給ピンの接続方法は、接続端子２１１と接続ピン２０３の接続方法と同様である。
【００３２】
以上のようにして、第１及び第２ファクシミリ基板２１０ａ、２１０ｂは、本体基板１２０に接続される。
【００３３】
次に、本実施形態におけるファクシミリ装置の概略構成について説明する。図４は、本実施形態におけるファクシミリ装置１００の概略構成図である。
【００３４】
ファクシミリ装置１００は、ＣＰＵ（Central Processing Unit）４０１、ＲＡＭ（Random Access Memory）４０２、ＲＯＭ（Read Only Memory）４０３、上記画像形成処理等における各駆動部が内部バスを介して接続されている。上記ＣＰＵ４０１は、例えばＲＡＭ４０２を作業領域として利用し、ＲＯＭ４０３に記憶されているプログラムを実行し、当該実行結果に基づいて、同じくＲＯＭ４０３に記憶されている、各駆動部に対応するドライバとデータや命令を授受することにより各駆動部の動作を制御する。
【００３５】
また、ファクシミリ基板２１０にも本体基板１２０と同様に、ＣＰＵ４１４、ＲＡＭ４１５、ＲＯＭ４１６が備えられている。さらに、ファクシミリ基板２１０は、第１発振器４１１ａと、第２発振器４１１ｂと、切替手段４１２と、モデム４１３を備えている。そして、これらに対応するドライバが前記ＲＯＭ４０３等に格納されており、前記ＣＰＵ４１４が、これらのドライバとデータや命令を授受することにより、発振器４１１、切替手段４１２、モデム４１３等の動作を制御する。
【００３６】
なお、第１ファクシミリ基板２１０ａと第２ファクシミリ基板２１０ｂとは、本体基板１２０にそれぞれ別々に接続されているが、ファクシミリ基板２１０自体は同一の構成となっている。このように、複数のファクシミリ基板２１０ａ、２１０ｂが同一の構成になっていることから、同一の生産ラインにより生産することができ、結果として生産性を向上させることが出来るようになっている。
【００３７】
次に、ファクシミリ装置１００におけるファクシミリの通信手順について説明する。図５は、本実施形態におけるファクシミリ装置１００の制御関連を示すブロック図である。
【００３８】
第1発振器４１１ａと第２発振器４１１ｂは、異なる周波数の基本クロック信号を出力する。本実施形態においては、第１発振器４１１ａの基本クロック信号の周波数は、２９．９９９２５ＭＨｚであり、第２発振器４１１ｂの基本クロック信号の周波数は、３０．０００７５ＭＨｚである。
【００３９】
第１発振器４１１ａと第２発振器４１１ｂのうちいずれか一方のみの発振器４１１が、選択可能に切替手段４１２に接続されている。したがって、ファクシミリ基板２１１毎にいずれの発振器４１１が用いられるかは、この切替手段４１２によって切り替えられる。
【００４０】
第１発振器４１１ａと第２発振器４１１ｂの切替方法については以下の通りである。
【００４１】
まず、検出手段５０２により、ファクシミリ基板２１０が本体基板１２０に接続されているかという接続の有無が検出される。さらに、ファクシミリ基板２１０が接続されている場合には、本体基板１２０のどの位置に接続されているかという接続位置も検出される。検出手段５０２は、本体基板１２０のＣＰＵ４０１がＲＯＭ４０３に格納されたプログラムを実行することにより動作する。
【００４２】
ファクシミリ基板２１０の接続の有無は、接続端子２１１と接続ピン２０３が接触することによって、本体基板１２０の電子回路の抵抗値が高い値を示すか否かで検出することができるようになっている。すなわち、接続端子２１１と接続ピン２０３の接触によって、ファクシミリ基板２１０と本体基板１２０とが電気的に接続すると、ファクシミリ基板２１０の集積回路が通電され、本体基板１２０の電子回路の抵抗値が高い値を示すこととなる。
【００４３】
また、接続ピン２０３と接続端子２１１の電気的接続によって、本体基板１２０に接続されているのが第１ファクシミリ基板２１０ａであるか第２ファクシミリ基板２１０ｂであるかを検出することができるようになっている。例えば、第１ファクシミリ基板２１０ａが挿入されるコネクタ２０２は、第１接続ピンのみが電気的に接続可能となっている。したがって、第１接続ピンと第１接続端子２１１ａが電気的に接続した場合は、第１ファクシミリ基板２１０ａが接続されたこと示すこととなる。他方、第２ファクシミリ基板２１０ｂが挿入されるコネクタ２０２は、第２接続ピンのみが電気的に接続可能となっている。したがって、第２接続ピンと第２接続端子２１１ｂが電気的に接続した場合は、第２ファクシミリ基板２１０ｂが接続されたことを示すこととなる。
【００４４】
このようにして、検出手段５０２が、第１ファクシミリ基板２１０ａが本体基板１２０に接続されていることを検出した場合、検出した旨の信号が第１ファクシミリ基板２１０ａの制御手段５０１へと送信される。検出信号を受信した制御手段５０１は、第１ファクシミリ基板２１０ａの切替手段４１２に対して、例えば第１発振器４１１ａに接続させる旨の命令を出す。
【００４５】
第１ファクシミリ基板２１０ａに続いて第２ファクシミリ基板２１０ｂが接続された場合も、同じようにして、検出手段５０２が前記接続の有無を検出するとともに、その検出信号を制御手段５０１に送信する。検出信号を受信した制御手段５０１は、第２ファクシミリ基板２１０ｂの切替手段４１２に対して、第１ファクシミリ基板２１０ａにおいて接続された第１発振器４１１ａと異なる発振器、即ち第２発振器４１１ｂに接続させる旨の命令を出す。
【００４６】
以上のようにして、第1ファクシミリ基板２１０ａには第１発振器４１１ａが用いられ、第２ファクシミリ基板２１０ｂには第２発振器４１１ｂが用いられることとなる。そして、第1発振器４１１ａが出力する基本クロック信号の周波数は２９．９９９２５ＭＨｚであり、他方第２発振器４１１ｂが出力する基本クロック信号の周波数は３０．０００７５ＭＨｚである。このようにして、第１ファクシミリ基板２１０ａと第２ファクシミリ基板２１０ｂとでは、異なる周波数をもつ基本クロック信号を出力する発振器４１１を接続することで、ファクシミリ基板２１０毎に基本クロック信号の周波数を相違させることができる。
【００４７】
第１発振器４１１ａ及び第２発振器４１１ｂから出力された、異なる周波数ｆINをもつ基本クロック信号は、ＰＬＬ回路５０３へと入力される。
【００４８】
ＰＬＬ回路５０３は、デジタル信号で周波数を設定することによって正確な周波数のクロック信号を出力することができる回路で、位相比較器（ＰＤ）５０３ａ、ループフィルタ（ＬＦ）５０３ｂ、電圧制御発振器５０３ｃ（以下、ＶＣＯ５０３ｃという。）が直列に設けられることで構成されている。
【００４９】
位相比較器５０３ａは、発振器から出力された基準周波数ｆINをもつ信号と、ＶＣＯ５０３ｃから帰還ループ５０３ｄを介して出力された周波数ｆFBをもつ信号とを比較して位相差を検出する。そして、位相差が検出されると、それらの差異に相当する制御電圧信号を発生して、ループフィルタ５０３ｂへと出力する。
【００５０】
ループフィルタ５０３ｂは、入力された制御電圧信号の高周波成分を除去して直流の信号に変換するためのローパスフィルタである。ループフィルタ５０３ｂで変換された直流の制御電圧はＶＣＯ５０３ｃへと出力される。
【００５１】
ＶＣＯ５０３ｃは、入力された直流信号によって発振周波数を制御することが出来る、可変周波数発振器である。このＶＣＯ５０３ｃにより、前記制御電圧に基づいて周波数ｆOUTの信号が出力される。
【００５２】
なお、第１ファクシミリ基板２１０ａにおける周波数ｆOUTは第１発振器４１１ａから出力された２９．９９９２５ＭＨｚであり、第２ファクシミリ基板２１０ｂの周波数ｆOUTは第２発振器から出力された３０．０００７５ＭＨｚである。
【００５３】
以上のようにして、ＰＬＬ回路５０３から出力された基本クロック信号は、正確な周波数となってモデム４１３へと入力される。
【００５４】
モデム４１３は、基本クロック信号に同期して、例えば電話回線５０９から画像データを受信するとともに、その画像データを復調する。復調された画像データは、受信メモリ５０４に送信されてそこで一時的に記憶される。
【００５５】
受信メモリ５０４に一時記憶された画像データは、本体基板１２０の印刷メモリ５０５に転送され、その後印刷メモリ５０５から読み出されて画像形成部１０２により印刷される。
【００５６】
以上のように、発振器４１１の接続を切り替えることで、複数のファクシミリ基板２１０毎に備えられた各モデム４１３に入力されるクロック信号の周波数を異ならせることができる。このため、同一の周波数の放射ノイズが重なり合うことはなく、放射ノイズの増大を防ぐことが出来る。
【００５７】
また、第１ファクシミリ基板２１０ａも第２ファクシミリ基板２１０ｂも構成は同一であるため、それらを同一の生産ラインで生産することができ、結果として生産コストを抑えることが出来る。
【００５８】
さらに、本来不要なフェライトコア等のＥＭＩ対策用の部品を必ずしも使用する必要はなく、結果として、製造コストを削減することが出来る。
【００５９】
尚、上述した実施の形態は、本発明を具体化した一例であって、本発明の技術的範囲を限定する性格のものではない。
【００６０】
したがって、本実施形態のファクシミリ基板は、第１ファクシミリ基板と第２ファクシミリ基板の２枚が接続されているが、これに限定されるわけではない。例えば、ファクシミリ回線を3回線対応にする場合は、ファクシミリ基板を本体基板に３枚接続することができる。その場合は、各ファクシミリ基板に異なる周波数の基本クロック信号を出力する発振器が３つ備えられることとなる。
【００６１】
次に、別の実施の形態におけるファクシミリ装置について説明する。図６は、別の実施形態におけるファクシミリ装置の制御関連を示すブロック図である。
【００６２】
ファクシミリ基板６１０は、第１発振器６１１ａ、第２発振器６１１ｂ、切替手段６１２、モデム６１３を備えている。これらの構成については、上述と同様なので説明は省略する。本実施形態のファクシミリ基板６１０が、上述の実施形態のファクシミリ基板６１０と異なる点は、制御手段６０１及び検出手段６０２が、本体基板６００に備えられている点である。すなわち、上述の実施形態においては、切替手段６１２に接続される発振器６１１は、ファクシミリ基板２１０に備えられた制御手段５０１により制御されるのに対して（図５）、本実施形態では、本体基板６００に備えられた制御手段６０１により制御される。
【００６３】
以下、ファクシミリの通信手順について説明する。
【００６４】
まず、検出手段６０２は、本体基板６００に接続されたファクシミリ基板６１０の数を検出する。検出方法については、上述と同様に、電源端子が電源供給ピンに接触することによって検出される。その結果、検出手段６０２が第１ファクシミリ基板６１０ａ及び第２ファクシミリ基板６１０ｂの２つのファクシミリ基板６１０が接続されていることを検出すると、その旨の検出信号を本体基板６００に備えられた制御手段６０１に送信する。検出信号を受信した制御手段６０１は、例えば、第１ファクシミリ基板６１０ａには第１発振器６１１ａを接続させる旨の命令を出す。これに対して、第２ファクシミリ基板６１１ｂには第１ファクシミリ基板６１０ａに接続された発振器６１１ａと異なる発振器６１１、即ち第２発振器６１１ｂを接続させる旨の命令を出す。
【００６５】
以上のようにして、第１ファクシミリ基板６１０ａと第２ファクシミリ基板６１０ｂとで異なる発振器６１１を接続させることで、各ファクシミリ基板６１０毎に異なる周波数をもつクロック信号を出力させることができる。これにより、同一の周波数をもつクロック信号が重なり合うことはなく、したがって放射ノイズが増大するのを防止することが出来る。
【産業上の利用可能性】
【００６６】
本発明にかかるファクシミリ基板及びファクシミリ装置は、放射ノイズを低減するとともに、生産性の向上を図ることができ、ファクシミリ装置のみならず、ファクシミリ機能を有する複写機やプリンタ、複合機など様々な機器に有用である。
【図面の簡単な説明】
【００６７】
【図１】本実施の形態におけるファクシミリ装置の全体構成図。
【図２】本実施の形態におけるファクシミリ基板と本体基板の接続部分の斜視図。
【図３】本実施の形態におけるファクシミリ基板と本体基板の接続部分の断面図。
【図４】本実施の形態におけるファクシミリ装置の概略構成図。
【図５】本実施の形態における制御関連の構成を示す概略ブロック図。
【図６】別の実施の形態における制御関連の構成を示す概略ブロック図。
【符号の説明】
【００６８】
１００  ファクシミリ装置
１２０  本体基板
２０２  コネクタ
２０３  接続ピン
２１０  ファクシミリ基板
４０１  ＣＰＵ
４０２  ＲＡＭ
４０３  ＲＯＭ
４１１  発振器
４１１ａ  第１発振器
４１１ｂ  第２発振器
４１２  切替手段
４１３  モデム
４１４  ＣＰＵ
４１５  ＲＡＭ
４１６  ＲＯＭ
５０１  制御手段
５０２  検出手段
５０３  ＰＬＬ回路
【図１】
2008005014.tif 000003
【図２】
2008005014.tif 000004
【図３】
2008005014.tif 000005
【図４】
2008005014.tif 000006
【図５】
2008005014.tif 000007
【図６】
2008005014.tif 000008